(57)【要約】 【課題】  撮影される写真及び動画の保存先をユーザの手動操作によらずユーザの使用状況に応じて自動的に決定し、決定された保存先にデータを保存することができる携帯情報端末を提供することを目的とする。【解決手段】  携帯情報端末１０は、写真又は動画を撮影し、該撮影された前記写真又は前記動画を電気信号に変換したデータ本体と、写真又は動画の撮影時間及び前記データ本体のデータサイズを含むメタ情報とを有する電子データを生成する撮影部１２と、メタ情報に基づいて前記電子データの保存先を前記第１の記憶部及び前記第２の記憶部のうち何れにするかを決定する判定部１４と、判定部１４により決定された保存先に電子データを記憶させる制御を行う制御部１６と、を備える。【選択図】  図１
2010244188.tif 000002
【特許請求の範囲】
【請求項１】
電子データを内部の第１の記憶部又は着脱可能な外部の第２の記憶部に記憶させることが可能な携帯情報端末において、
写真又は動画を撮影し、該撮影された前記写真又は前記動画を電気信号に変換したデータ本体と、前記写真又は前記動画の撮影時間及び前記データ本体のデータサイズを含むメタ情報とを有する電子データを生成する撮影部と、
前記メタ情報に基づいて前記電子データの保存先を前記第１の記憶部及び前記第２の記憶部のうち何れにするかを決定する判定部と、
前記判定部により決定された前記保存先に前記電子データを記憶させる制御を行う制御部と、
を備える携帯情報端末。
【請求項２】
連続的に撮影された複数の前記写真又は前記動画の前記メタ情報の履歴を格納するメタ情報データベースを更に備え、
前記判定部は、前記メタ情報データベースに格納されている前記複数のメタ情報を受け取って、時間的に前後関係にある前記メタ情報間の差分を算出し、該算出された前記メタ情報間の差分に基づいて前記保存先を決定する請求項１に記載の携帯情報端末。  
【請求項３】
自端末の現在地の位置情報を取得する測位部を更に備え、
前記判定部は、前記測位部により取得された前記現在地が特定範囲に該当するかを判断し、該判断結果に基づいて前記保存先を決定する請求項１又は２に記載の携帯情報端末。
【発明の詳細な説明】
【技術分野】
【０００１】
本発明は、携帯情報端末に関する。
【背景技術】
【０００２】
近年は、携帯情報端末の性能が飛躍的に向上し、写真や動画の撮影が可能である。撮影された写真や動画は内部記憶部又はメモリカード等の外部記憶部に保存されるが、その保存先は通常予め設定されるだけであった。これに対して保存先を自動的に変更する従来の技術としては、下記特許文献１に記載されているものが知られている。この文献には、少なくとも製造者若しくは販売者により供給されたプログラムコードが保存されているフラッシュＲＯＭと、ユーザの重要データが保存されているＨＤＤと、加速度センサを有する制御部と、ユーザの操作入力を検出する操作検出部とを備えた携帯情報端末が開示されている。
【０００３】
上記記載の携帯情報端末においては、加速度センサの出力により、例えば端末が落とされたことが検出された後、操作検出部によってユーザの操作入力が一定期間検出されなかったときは、フラッシュＲＯＭのプログラムコードが削除され、その削除により確保された開き領域にＨＤＤの重要データがバックアップされる。
【先行技術文献】
【特許文献】
【０００４】
【特許文献１】特開平２００７−５３５２９号公報
【発明の概要】
【発明が解決しようとする課題】
【０００５】
ここで、上記特許文献１に記載の技術は、遺失等の特殊な場合に一方の不揮発性の記憶部に保存されているデータを削除して、他の不揮発性の記憶部に保存されている重要データをその削除によってできた空き領域へバックアップする制御である。それ故、日常利用、特に写真及び動画の撮影等においては、保存先が自動的に変更されず、メモリが満杯となった場合等において、ユーザは撮影される写真及び動画の保存先を手動で変更して対応しなければならなかった。
【０００６】
本発明は、このような事情に鑑みて提案されたものであり、撮影される写真及び動画の保存先をユーザの手動操作によらずユーザの使用状況に応じて自動的に決定し、決定された保存先にデータを保存することを可能とする携帯情報端末を提供することを目的とする。
【課題を解決するための手段】
【０００７】
上述の課題を解決するため、本発明の携帯情報端末、電子データを内部の第１の記憶部又は着脱可能な外部の第２の記憶部に記憶させることが可能な携帯情報端末において、写真又は動画を撮影し、該撮影された写真又は動画を電気信号に変換したデータ本体と、写真又は動画の撮影時間及びデータ本体のデータサイズを含むメタ情報とを有する電子データを生成する撮影部と、メタ情報に基づいて電子データの保存先を第１の記憶部及び第２の記憶部のうち何れにするかを決定する判定部と、判定部により決定された保存先に電子データを記憶させる制御を行う制御部と、を備える。
【０００８】
本発明に係る携帯情報端末では、判定部によって、撮影後に撮影部により自動的に生成されたメタ情報に基づいて、撮影された写真及び動画の電子データの保存先を第１の記憶部及び第２の記憶部のうち何れにするかが決定され、制御部の制御によって該決定された保存先に電子データが記憶される。このように、本携帯情報端末によれば、写真及び動画の保存先をユーザによる手動操作によらず自動的に決定し、決定された保存先に電子データを保存することができる。また、撮影時間とデータサイズとを含むメタ情報はユーザの使用状況が反映されている。そのため、ユーザの使用状況に応じた適切な保存先を決定することができる。
【０００９】
また、連続的に撮影された複数の写真又は動画のメタ情報の履歴を格納するメタ情報データベースを更に備え、判定部は、メタ情報データベースに格納されている複数のメタ情報を受け取って、時間的に前後関係にあるメタ情報間の差分を算出し、該算出されたメタ情報間の差分に基づいて保存先を決定することが好適である。このように、判定部による保存先の決定において、最近の複数のメタ情報から算出された、時間的に前後関係にあるメタ情報間の差分が用いられるので、ユーザの使用状況に応じた適切な保存先をより効果的に決定することができる。
【００１０】
また、自端末の現在地の位置情報を取得する測位部を更に備え、判定部は、測位部により取得された現在地が特定範囲に該当するかを判断し、該判断結果に基づいて保存先を決定することが好適である。これにより、保存先の決定において、ユーザが旅行先など写真を良く撮る場所にいるか等を更に考慮することができ、ユーザの使用状況に応じた適切な保存先を更に効果的に決定することができる。
【発明の効果】
【００１１】
本発明に係る携帯情報端末によれば、撮影される写真及び動画の保存先をユーザの手動操作によらずユーザの使用状況に応じて自動的に決定し、決定された保存先にデータを保存することができる。
【図面の簡単な説明】
【００１２】
【図１】本実施形態に係る携帯情報端末の構成を示すブロック図である。
【図２】本実施形態に係る携帯情報端末のハードウェア構成図である。
【図３】撮影部により生成された電子データの一例を示す。
【図４】メタ情報データベースに格納されているメタ情報の一例を示す図である。
【図５】メタ情報データベースに、データ本体のデータサイズとして格納されているピクセル数情報の一例を示す図である。
【図６】本実施形態に係る携帯情報端末により実行される保存先の決定処理を説明するためのシーケンス図である。
【図７】カメラ利用頻度及びデータサイズ変動の判断処理を具体的に説明するためのフローチャートである。
【図８】判定部による保存先の判定処理を具体的に説明するためのフローチャートである。
【発明を実施するための形態】
【００１３】
以下、図面を参照しながら、本発明に携帯情報端末の実施形態について説明する。なお、図面の説明において同一要素には同一符号を付し、重複する説明を省略する。
【００１４】
図１は、本実施形態に係る携帯情報端末１０の構成を示すブロック図である。図１に示すように、携帯情報端末１０は、撮影部１２、判定部１４及び制御部１６を有するカメラ部１８、メタ情報データベース２０、設定部２１、観光スポット情報データベース２２、測位部２４、内部記憶部２６及び接続部２８を含んで構成されている。携帯情報端末１０には、接続部２８を介して外部記憶部３０を有する脱着式カード３２が接続されている。
【００１５】
これら各機能は、図２に示されるハードウェア構成により実現される。図２は、携帯情報端末１０のハードウェア構成図である。携帯情報端末１０は、物理的には、図２に示すように、ＣＰＵ１０１、主記憶装置であるＲＡＭ１０２及びＲＯＭ１０３、ネットワークカード等のデータ送受信デバイスである通信モジュール１０４、ハードディスク等の補助記憶装置１０５、操作ボタン等の入力装置１０６、ディスプレイ等の出力装置１０７などを備えて構成される。図１において説明した各機能は、図２に示すＣＰＵ１０１、ＲＡＭ１０２等のハードウェア上に所定のコンピュータソフトウェアを読み込ませることにより、ＣＰＵ１０１からの制御のもとで通信モジュール１０４、入力装置１０６及び出力装置１０７を動作させるとともに、ＲＡＭ１０２や補助記憶装置１０５におけるデータの読み出し及び書き込みを行うことで実現される。以下、図１に示す機能ブロックに基づいて、各機能ブロックを説明する。
【００１６】
撮影部１２は、レンズ及び半導体素子等により構成され、写真や動画を撮影して撮影された写真や動画に基づいて電子データ（画像又は動画データ）を生成する。図３は、撮影部１２により生成された電子データの一例を示す。図３に示されているように、生成された電子データは、撮影された映像が電気信号に変換されたデータ本体（例えば、ランダム文字例）と、写真又は動画の撮影時間（例えば“ｙｙｙｙ/ｍｍ/ｄｄ  ｈｈ：ｍｍ”）及びデータ本体のデータサイズ（例えば、“×××（Ｂｙｔｅ)”）を含むメタ情報とにより構成されている。撮影部１２は、データ本体を含む電子データをキャッシュ等一時的なメモリ領域（図示せず）に出力して保存先が決定されるまで一時的に保存し、メタ情報のみをメタ情報データベース２０に出力する。
【００１７】
メタ情報データベース２０は、撮影部１２からのメタ情報を受信して、そのメタ情報の履歴を記憶する。図４は、メタ情報データベース２０に格納されているメタ情報の一例を示す図である。図４に示すように、メタ情報データベース２０には、写真又は動画の撮影時間及びデータ本体のデータサイズが、写真又は動画が撮影された順番を示す撮影番号と関連付けられて格納されている。詳細には、撮影番号“Ｍ＋１”に、撮影時間“２００７／０２／０４  １８：２９”及びデータサイズ“５７７０８８７（Ｂｙｔｅ)”が関連付けて格納されている。
【００１８】
なお、メタ情報データベース２０には、データ本体のデータサイズがＢｙｔｅ単位ではなく、幅及び高さのピクセル数の単位で格納されていてもよい。図５は、メタ情報データベース２０に、データ本体のデータサイズとして格納されているピクセル数情報の一例を示す図である。詳細には、撮影番号“１”に、撮影時間と共に幅のピクセル数“１２８０”及び高さのピクセル数“９８０”の情報が関連付けられて格納されている。
【００１９】
メタ情報データベース２０に格納されているデータサイズは、写真又は動画の撮影前にユーザの操作によって予め設定することができる。設定部２１は、そのような場合において、ユーザの入力操作にしたがって、メタ情報データベース２０のデータサイズを設定する。
【００２０】
観光スポット情報データベース２２には、観光スポット及びその周辺地域の位置情報が予め登録されている。例えば、観光スポット情報データベース２２には、観光スポットの名称と該観光スポットの位置情報及び周辺地域の位置情報とが関連付けて記憶されている。詳細には、例えば、観光スポットの名称“上野公園”に、観光スポット“上野公園”の位置情報“緯度×××、経度×××”及び周辺地域の位置情報（例えば、半径５００mの“緯度×××、経度×××”）が対応付けられて格納されている。
【００２１】
測位部２４は、ＧＰＳ測位を実行して携帯情報端末１０の現在地の位置情報を取得し、取得された位置情報をカメラ部１８からの要求に応じて、カメラ部１８に通知する。ＧＰＳ測位では、少なくとも３以上のＧＰＳ衛星からのデータに基づいて緯度、経度を算出して、携帯情報端末１０の位置情報を求める。
【００２２】
判定部１４は、メタ情報データベース２０及び観光スポット情報データベース２２に格納されている情報と測位部２４により通知された情報に基づいて、撮影部１２により生成された電子データを小さな記憶容量の内部記憶部２６及び大きな記憶容量の外部記憶部３０のうちのどちらに保存すべきかを決定する。保存先決定の結果は、判定部１４によって制御部１６に通知される。
【００２３】
制御部１６は、判定部１４から保存先決定が通知されると、判定部により決定された保存先に電子データを記憶させる制御を行う。また、制御部１６は、携帯情報端末１０の機能全体についての制御も行う。制御部１６の機能は携帯情報端末１０が備えるＣＰＵ１０１等により実現される。
【００２４】
接続部２８は、脱着式カード３２を接続することができ、脱着式カード３２との間のデータの送受信を行う。脱着式カード３２は、外部記憶部３０とＩＣチップ３４とを備える。外部記憶部３０は、内部記憶部２６と同様にカメラ部１８の撮影部１２により生成された電子データを記憶することができるものである。ＩＣチップ３４は、外部記憶部３０が携帯情報端末１０に備えられている内部記憶部２６と同様の機能となるように、特に判定部１４により電子データの保存先が外部記憶部３０と決定されたとき、携帯情報端末１０とのデータの送受信及び制御を行う。
【００２５】
引き続いて、図６のシーケンス図を用いて、本実施形態に係る携帯情報端末１０により実行される保存先の決定処理を説明する。まず、ユーザの操作によりカメラ部１８の撮影部１２が起動されると（Ｓ０１）、撮影部１２により写真又は動画が撮影される（Ｓ０２）。続いて、撮影部１２において、撮影された写真又は動画に基づくデータ本体と、写真又は動画の撮影時間及びデータ本体のデータサイズを含むメタ情報とからなる電子データが生成され、メタ情報はメタ情報データベース２０に出力及び記憶される（Ｓ０３）。一方、データ本体を含む電子データは一時的なメモリ領域に出力されて一時的に保存される。
【００２６】
引き続いて、判定部１４から測位部２４に位置情報取得要求が行われ（Ｓ０４）、その要求に応じて、測位部２４はＧＰＳ測位を実行して現在地の位置情報を取得し、その取得された位置情報を判定部１４に通知する（Ｓ０５）。その後、判定部１４は、測位部２４から通知された位置情報を観光スポット情報データベース２２に予め登録されている情報に参照してユーザが観光スポット又はその周辺にいるのかを判断する(Ｓ０６)。具体的には、観光スポット情報データベース２２に登録されている情報の中に、測位部２４からの現在地の位置情報と一致する情報があれば、ユーザが観光スポット又はその周辺にいると判断する。一方、一致する情報がなければ、ユーザが観光スポット又はその周辺にいないと判断する。
【００２７】
次に、判定部１４からメタ情報データベース２０にメタ情報履歴の取得要求が行われる（Ｓ０７）。この要求に応じて、メタ情報データベース２０からは最近の複数の電子データのメタ情報が判定部１４に送信される（Ｓ０８）。続いて、判定部１４においては、受信されたメタ情報に基づいてカメラ利用頻度及びデータサイズ変動の判断が行われる（Ｓ０９）。
【００２８】
図７は、その判断処理を具体的に説明するためのフローチャートである。まず、メタ情報データベース２０から最近の例えば５個のメタ情報が判定部１４によって取得されると（Ｓ２０１）、判定部１４において、時間的に前後関係にあるメタ情報間の差分、すなわち撮影時間及びファイルサイズの差分が算出される（Ｓ２０２）。次に、算出された撮影時間及びファイルサイズの差分が、予め決定されている差分基準を満たしているか否かが、判定部１４によって判断される（Ｓ２０３）。
【００２９】
差分基準は、例えば、今回の撮影時間と前回の撮影時間との差が１分以下であること、１分当たり撮影回数が例えば１枚以上であること、撮影によるデータサイズ（Ｂｙｔｅ）が前回の撮影によるデータサイズ（Ｂｙｔｅ）の例えば２倍以上であること、撮影によるデータサイズ(幅／高さのピクセル数)が前回の撮影によるデータサイズ(幅／高さのピクセル数)の例えば２倍以上であること、データサイズが前回の撮影によるデータサイズの例えば２倍以上に変わった状態で例えば３枚以上写真又は動画が撮影されたこと等が挙げられる。
【００３０】
撮影時間及びファイルサイズのうち少なくとも一方がその差分基準を満たしている場合には利用頻度が高い又はデータサイズの変動が大きいと判断されてカメラ利用頻度及びデータサイズ変動の判断処理が終了する（Ｓ２０４）。具体的に説明すると、例えば、１分当たり撮影回数が２枚以上であった場合（図４中のＡの場合）、撮影によるデータサイズ（Ｂｙｔｅ）が前回の撮影によるデータサイズ（Ｂｙｔｅ）の例えば８倍であった場合（図４中のＢの場合）、前回のＱＶＧＡから３Ｍに設定変更等されてピクセル数が例えは前回の約６倍に設定された場合（図５中のＣの場合）等には、カメラの利用頻度が高い又はデータサイズの変動が大きいと判断され、処理が終了する。一方、撮影時間及びファイルサイズのうち何れもその基準を満たしていない場合には、判定部１４によりカメラの利用頻度が低く、且つデータサイズの変動が小さいと判断され、処理が終了する。（Ｓ２０５）。
【００３１】
上記のカメラ利用頻度の判断処理が終了すると、判定部１４によって保存先の判定が行われる（図６のＳ１０）。図８は、判定部１４による保存先の判定処理を具体的に説明するためのフローチャートである。まず、判定部１４は、上述したユーザが観光スポット又はその周辺にいるか否かに関する、ステップＳ０６の判断結果を取得して（Ｓ３０１）、旅行先など写真を良く撮る場所にいるかを判断する（Ｓ３０２）。ステップＳ０６においてユーザが観光スポット又はその周辺にいないと判断された場合には、旅行先など写真を良く撮る場所にいないとみなされ、保存先は内部記憶部２６と決定される。引き続き、その決定結果が制御部１６に通知されると共に処理は終了する。（Ｓ３０３）。一方、ステップＳ０６においてユーザが観光スポット又はその周辺にいると判断された場合には、写真を良く撮る場所にいるとみなされ、次のステップＳ３０４に進む。
【００３２】
ステップＳ３０４においては、ステップＳ０９におけるカメラ利用頻度及びデータサイズ変動の判断結果が取得され（Ｓ３０４）、外部記憶部３０に保存すべきかが判断される（Ｓ３０５）。ステップＳ０６においてカメラの利用頻度が低く且つデータサイズの変動が小さいと判断された場合には、ユーザの画質等に対するこだわりがないということで記憶容量の小さな内部記憶部２６が保存先として決定される。引き続き、その決定結果が制御部１６に通知されると共に処理は終了する。（Ｓ３０６）。一方、ステップＳ０９において映像撮影の頻度が高い又データサイズの変動が大きいと判断されと判断された場合には、ユーザの画質等に対するこだわりがあるということで記憶容量の大きな外部記憶部３０が保存先として決定される。引き続き、その決定結果が制御部１６に通知されると共に処理は終了する（Ｓ３０７）。
【００３３】
上記の保存先の判定処理がステップＳ３０３又はＳ３０６で終了すると、一時的なメモリ領域に保存されている電子データは制御部１６の制御によって内部記憶部２６に送信及び保存される。また、上記の保存先の判定処理がステップＳ３０７で終了すると、一時的なメモリ領域に保存されている電子データは制御部１６の制御によって外部記憶部３０に送信及び保存される（図６のＳ１１）。
【００３４】
本実施形態に係る携帯情報端末１０では、判定部１４によって、撮影後に撮影部により自動的に生成されたメタ情報に基づいて、撮影された写真及び動画の電子データの保存先を記憶容量の小さな内部記憶部２６及び記憶容量の大きな外部記憶部３０のうち何れにするかが決定され、制御部１６の制御によって該決定された保存先に電子データが記憶される。このように、本携帯情報端末１０によれば、ユーザによる手動操作によらず写真及び動画の保存先を自動的に決定し、決定された保存先にデータを保存することができる。また、保存先の決定において考慮される、撮影時間とデータサイズを含むメタ情報は、ユーザの使用状況が反映されている。そのため、ユーザの使用状況に適した記憶容量を有するものを保存先として決定することができる。
【００３５】
上述した実施形体では、判定部１４による保存先の決定において、最近の複数のメタ情報から算出された、時間的に前後関係にあるメタ情報間の差分が用いられて、カメラ利用頻度及びデータサイズ変動が考慮される。その結果、ユーザの使用状況に応じた適切な保存先をより効果的に決定することができる。
【００３６】
すなわち、撮影時間の差分によって保存先を決定すれば、利用頻度が高い場合には記憶容量の大きな外部記憶部３０に保存し、利用頻度が低い場合には記憶容量が小さな内部記憶部２６に保存することができ、ユーザが保存先変更のために別度の手動操作をしなくても一方の記憶部の容量が満杯になる状況が合理的に避けられ、記憶部を効率的に且つ合理的に利用することができる。また、データサイズの差分によって保存先を決定すれば、データサイズの変動が大きい場合には記憶容量の大きな外部記憶部３０に保存し、データサイズの変動が小さい場合には記憶容量が小さな内部記憶部２６に保存することができる。そのため、ユーザがきれいな写真又は動画を撮りたいと思っているか否かといったユーザの画質に対するこだわりの有無等を反映して、保存先を決定することができる。
【００３７】
また、判定部１４による保存先の決定において、測位部２４により取得された現在地の位置情報を予め観光スポット情報データベース２２に登録されている情報に参照して、ユーザの現在地が観光スポット又はその周辺に該当するかが更に考慮される。すなわち、保存先の決定において、ユーザが旅行先など写真を良く撮る場所にいるかが更に考慮されるので、ユーザの使用状況に応じた適切な保存先を更に効果的に決定することができる。また、ユーザの現在地が観光スポットの周辺に該当する場合には、ユーザの今後の使用予定もが考慮され、保存先が決定される。
【００３８】
なお、本発明は、かかる実施形態に限定されるものではなく、本発明の趣旨を逸脱しない範囲において、適宜変形態様を採ることも可能である。例えば、測位部２４によって得られた携帯情報端末１０の現在地の位置情報は、ＧＰＳ方式で測位されたものであるが、これに限定されることはなく、例えば携帯情報端末１０が通信を利用するために保持している基地局の位置を表す基地局位置情報とすることができる。
【００３９】
また、ユーザが観光スポット又はその周辺にいるのかが判断された（Ｓ０６）後に、カメラ利用頻度及びデータサイズ変動の判断が行われる（Ｓ０９）が、これらの処理の順番が逆になっていてもよい。
【符号の説明】
【００４０】
１０…携帯情報端末、１２…撮影部、１４…判定部、１６…制御部。
【図１】
2010244188.tif 000003
【図２】
2010244188.tif 000004
【図３】
2010244188.tif 000005
【図４】
2010244188.tif 000006
【図５】
2010244188.tif 000007
【図６】
2010244188.tif 000008
【図７】
2010244188.tif 000009
【図８】
2010244188.tif 000010